(57)【特許請求の範囲】
【請求項１】
変形可能な光学部と所定の角度を有するループ状の支持部を持つ眼内挿入用レンズからなるレンズと、光学部に応力をかけない状態でレンズを内部に保持する機構を有する保持手段と、前記レンズを小さく変形する変形手段と、変形されたレンズを内腔を通して眼内に挿入する挿入筒および前記レンズを眼内に押出す押出機構を有する眼内挿入用レンズの挿入器具とで構成される眼内挿入用レンズの挿入システムであって、前記レンズ光学部に応力をかけないで保持する第１の保持状態から前記押出機構により前記レンズを押出可能な第２の使用設置状態に遷移させる手段を有することを特徴とする眼内挿入用レンズ挿入システム。
【請求項２】
前記遷移させる手段は、前記レンズ光学部に応力をかけないで保持する第１の保持状態から前記押出機構により前記レンズを押出可能な第２の使用設置状態に移動させるレンズ移動機構であることを特徴とする請求項１に記載の眼内挿入用レンズの挿入システム。
【請求項３】
前記変形手段の一部を前記レンズ移動機構に設けた構成したことを特徴とする請求項２に記載の眼内挿入用レンズの挿入システム。
【請求項４】
前記眼内挿入用レンズは変形可能な光学部と所定の角度を有するループ状の支持部を持つ眼内挿入用レンズであって、前記レンズの未使用の保持状態では、前記支持部を光学部に対して所定の角度で保持するため前後方向に対峙して左右方向に伸び、前記所定角度の傾斜面を持ったベース部材の係止部材に前記レンズの外周部を係止するようにして保持する支持部保持機構を備えたことを特徴とする請求項１に記載の眼内挿入用レンズの挿入システム。
【発明の詳細な説明】
【０００１】
【産業上の利用分野】
この発明は、白内障で水晶体を摘出した後に水晶体の代わりに挿入される、屈折異常を矯正する等の目的で眼内に挿入される眼内挿入用レンズを眼内に挿入するためのシステムに関するものである。
【０００２】
【従来の技術】
眼内挿入用レンズは、白内障手術の際に除去した水晶体（無水晶体眼）の屈折力を補うために水晶体の位置に挿入されるものが一般的であり、１９４９年にリドレイ（Ridley）により初めて移植されて以来、その素材、形状等についてさまざまな研究がなされてきた。
また、近年になってこのような白内障術後の屈折異常を矯正する目的以外に水晶体を持った眼（有水晶体眼）に対して近視、遠視の矯正のために眼内に挿入する屈折矯正用眼内挿入用レンズに関しても研究が進んでいる。
白内障手術に関しても、超音波乳化吸引術等の普及もあり小さい切開創で混濁した水晶体を除去する水晶体摘出手術が可能になっている。それらの進歩に伴い眼内挿入用レンズも例えば、特開昭５８−１４６３４６号公報に開示されている発明のように光学部が弾性体等の変形可能な素材で構成され、折畳んだ形状で小さな切開創から眼内に挿入し、眼内もとの形状に復元させることによってレンズとして機能させる眼内挿入用レンズが実用化されている。
これらの技術に伴い、光学部の素材も硬いポリメチルメタクリレート(ＰＭＭＡ)から、折畳んで眼内挿入可能なシリコーンやソフトアクリル樹脂に次第に移行している。
【０００３】
また、近年ではヒドロキシエチルメタクリレートとメチルメタクルレート等との共重合体やメタクリル酸−２−ヒドロキシエチル（ＨＥＭＡ）等の親水性材料も研究の対象となっている。
さらに、その形状も円形の光学部とは別素材で構成したループ状の支持部を持つもの、ループ状の支持部が光学部と同一素材で一体化したもの、支持部が板状のもの等さまざまなものが研究され実用化されている。
さらにまた、上記に示した変形可能な眼内挿入用レンズを圧縮したり、折り曲げたりして眼球内に挿入する挿入装置として、（１）特開平５−１０３８０３号公報に開示された発明がある。上記発明に記載されている実施例では、折畳まれたレンズを保持する保持部材を本体に取り付け、先端にある挿入筒から眼内に挿入する装置が開示されている。
また、（２）特開平７−２３９９１ 号公報に開示された発明には、器具本体に折畳まれたレンズを保持する部分が本体部と一体化されたものが使用され、全体が樹脂でできていて一回使いきりのディスポーザブルな挿入器具が開示されている。
さらに、（３）特表平９−５０６２８５公報に開示された発明には、更に応用を広げた眼内挿入用レンズの挿入器具が開示されている。この発明の眼内挿入用レンズの挿入器具によれば、中間準備領域に応力のない状態でレンズを保持し、中間準備領域を本体部に取り付けた上で、更に眼内にレンズを挿入するカニューレ（挿入筒）をはめ込むことで、眼内レンズを眼内に挿入する装置が開示されていると共に、中間領域がレンズパッケージとして使用され得る技術が開示されている。
【０００４】
【発明が解決しようとしている課題】
しかしながら、上述した従来の(１)，(２)の発明に開示された眼内挿入用レンズの挿入器具に関しては、眼内挿入用レンズをパッケージから取り出して設置部に設置した後に変形させて眼内に挿入するために、実際の手術時には眼内挿入用レンズを挿入器具に設置する設置作業が必要となり、眼内挿入用レンズの挿入に伴う時間と手数がかかるという問題点があった。
また、眼内挿入用レンズおよび挿入器具は、創口から眼内に挿入されるため滅菌作業を経て無菌状態を保つ必要があるが、上記のような設置作業の際にレンズや挿入器具を術者の不注意により床，載置台等の不潔領域に落したりすることで無菌性が失われ、使用不能になるという問題点があった。
さらに、術者の不注意等により正常な状態でレンズの設置操作が行われずに、レンズを無理に挿入しようとして眼内挿入用レンズを破損したり挿入筒からレンズが勢い良く飛び出したりして眼内組織を損傷する危険性も考えられる。
【０００５】
さらにまた、上述した従来の(３)に開示された発明には、あらかじめ中間領域にレンズを設置してレンズパッケージとして使用する点が示されているが、カニューレ（挿入筒）部分が別部材であるため、使用の際にはカニューレを取り付ける作業が発生することになる。また、予め眼内レンズを押出し軸の中心上にある中間領域に保管しておくことも開示されているが、この発明では、レンズを保管するのに最適な材料で中間領域を構成することが不可能であると共に、特にループ状の支持部を有する眼内レンズでループ状の支持部とレンズ光学部との所定の角度を保持させておく必要があるが、このための機能を持たせた構成を前記中間領域に設けることは非常に困難であった。
【０００６】
本発明は、前述した問題点を解決しようとするもので、眼内挿入用レンズを挿入器具のレンズ保持部材に保管し、使用時には、レンズ移動機構によりレンズを所定位置にセット出来る構成を備えることで、挿入器具自体にレンズ保管中にその光学部に応力をかけることなく、かつ支持部の角度を一定にした状態に保持されているため、従来必要であった眼内挿入用レンズの支持部の角度を一定に保つための機構を有する別個のレンズケースを不要とし、また挿入器具に眼内挿入用レンズをその都度設置する設置操作をなくし、もしくは簡略化して設置操作に関わる時間を節約するばかりでなく、術者の誤操作等に伴うレンズの破損、あるいはレンズが正常に眼内に挿入されないという不具合を解消し、さらには眼内挿入用レンズ及び挿入器具を滅菌状態のまま供給することができるようにした眼内挿入用レンズの挿入システムの提供を目的としている。
【０００７】
【課題を解決するための手段】
請求項１の発明は、変形可能な光学部と所定の角度を有するループ状の支持部を持つ眼内挿入用レンズからなるレンズと、光学部に応力をかけない状態でレンズを内部に保持する機構を有する保持手段と、前記レンズを小さく変形する変形手段と、変形されたレンズを内腔を通して眼内に挿入する挿入筒および前記レンズを眼内に押出す押出機構を有する眼内挿入用レンズの挿入器具とで構成される眼内挿入用レンズの挿入システムであって、前記レンズ光学部に応力をかけないで保持する第１の保持状態から前記押出機構により前記レンズを押出可能な第２の使用設置状態に遷移させる手段を有することを特徴とするもので、このシステムにより眼内挿入用レンズを挿入器具に設置する設置操作を不要とし、もしくは非常に簡便化することができるばかりでなく、誤操作によるレンズ挿入の際の不具合も防止できる。また、このような利点を損なうことなく眼内挿入用レンズの挿入システムとしてレンズ、挿入器具の幅広い選択肢を提供することが可能となる。
【０００８】
請求項２の発明は、請求項１に記載の眼内挿入用レンズの挿入システムにおいて、前記遷移させる手段は、前記レンズ光学部に応力をかけないで保持する第１の保持状態から前記押出機構により前記レンズを押出可能な第２の使用設置状態に移動させるレンズ移動機構であることを特徴とする。
請求項３の発明は、請求項２に記載の眼内挿入用レンズの挿入システムにおいて、前記変形手段の一部を前記レンズ移動機構に設けた構成したことを特徴とする。
請求項４の発明は、請求項１に記載の眼内挿入用レンズの挿入システムにおいて、前記眼内挿入用レンズは変形可能な光学部と所定の角度を有するループ状の支持部を持つ眼内挿入用レンズであって、前記レンズの未使用の保持状態では、前記支持部を光学部に対して所定の角度で保持するため前後方向に対峙して左右方向に伸び、前記所定角度の傾斜面を持ったベース部材の係止部材に前記レンズの外周部を係止するようにして保持する支持部保持機構を備えたことを特徴とする。
【０００９】
【発明の実施の形態】
図１は、本発明による眼内挿入用レンズの挿入システムの一実施の形態を示すもので、
本実施の形態においては、眼内挿入用レンズ２０の保持手段としてのレンズ保持部材１０に設置した眼内挿入用レンズ２０の水平状態の前後方向中心と挿入器具３０の押出し軸３３の軸方向中心とが互いに一致していない状態で装着される第１の未使用の保持状態と、眼内挿入用レンズ２０が押出し軸３３により押出し可能な位置に移動した第２の使用設置状態およびレンズ移動機構である押圧部１３により前記第１から第２の状態に遷移させるレンズ移動機構により構成されていることを示している。
図１の（ａ）はレンズ保持部材１０を挿入器具３０に組付け装着した前記第１の未使用の保持状態を示す正面図、（ｂ）は第２の使用設置状態を示した正面図である。
本発明の前記システムは大きく分けて眼内挿入用レンズ２０を保管するレンズ保持手段であるレンズ保持部材１０と、眼内挿入用レンズ２０を患者の眼内に挿入する挿入器具３０により構成されている。
図中、３０は眼内挿入用レンズの挿入システムにおける挿入器具で、透明又は半透明あるいは非透明性のプラスチックなどで成型され、基端部３１ａ側を太径に且つ先端部３１ｂ側を小径に形成した内部中空の筒本体３１と、該筒本体３１の軸方向中心上に位置するように内装配設された押出し軸３３と、前記筒本体３１の基端部３１ａに取付けられ前記押出し軸３３の基端部と連結され、押出し軸３３を左右方向に移動させる押出し機構３４と、前記筒本体３１の先端部３１ｂに形成された装着部３５には保持手段であるレンズ保持部材１０とが装着され、該装着部３５の先端側に前記筒本体３１の軸心と一致する内腔を有する先細の挿入筒３２が形成されたもので、挿入筒３２の先端部３２ａから眼内挿入用レンズ２０を小さく変形して押し出すようにしたものである。
図１の(ａ)ではレンズの中心が一点鎖線Ｌで表す押出し軸３３の軸方向の中心とが一致しない状態で配置されていることがわかる。眼内挿入用レンズ２０は、レンズ保持部材１０内で図１の(ａ)に示す第１の未使用の保持状態で保管されている。
図１の(ｂ)は、前記第１の未使用の保持状態からトップ部材１２の押圧部１３を紙面下方に押し込んで眼内挿入用レンズ２０を押し出し、押出し軸３３の軸方向中心とほぼ一致する第２の使用設置状態に移動させた様子を表している。
この第２の使用設置状態では、筒本体３１の基端部３１ａ側に設けられた押出し機構３４により押出し軸３３を先端側に移動することで眼内挿入用レンズ２０を挿入筒３２の先端部３２ａより眼内に押し出すことが可能となる。
【００１０】
図２は、図１（ａ）に示すレンズ保持部材１０が挿入器具３０に装着された組付け状態を示す図で、（ａ）は部分拡大正面図、（ｂ）はレンズ保持部材１０部の拡大平面図である。
図２の(ａ)に示すレンズ保持部材１０は、例えば円形の光学部２１とは別素材で構成したループ状の一対の支持部２２，２２を有する眼内挿入用レンズ２０の支持部２２，２２と光学部２１との角度θを保持するために、前後方向に対峙して左右方向に伸び、角度θの傾斜面１１ａをもったベース部材１１の係止部１１ｂ上に前記レンズ２０の外周部を係止させて置き、ベース部材１１の傾斜面１１ａと合わさる角度を底面１４ｂに形成したトップ部材１２の挟持部１４で前記眼内挿入用レンズ２０の支持部２２，２２を挟み込む構造を有している。
【００１１】
前記レンズ保持部材１０は、図２の（ｂ）に示す平面図及び図３の（ａ），（ｂ）によく示すように、上面に開口部１１ｃを有し、且つ、前，後側壁１１ｄ，１１ｄの下端部にそれぞれ前記装着部３５の前，後側面下端近傍外周面に形成した係止段部３８と弾撥的に結合する突状１１ｅ，１１ｅを形成した左右方向開口の断面コ字状に構成されると共に、前記前，後側壁１１ｄ，１１ｄの内面ほぼ中央部には、眼内挿入用レンズ２０の支持部２２，２２及び光学部２１の外周を載置させる左右方向に伸びる一対の係止部１１ｂが形成されている。そして、前記係止部１１ｂは、図２（ａ）に示すように、眼内挿入用レンズ２０の支持部２２，２２と光学部２１との角度θを保持するために、角度θを有する傾斜面１１ａが形成されたものである。
【００１２】
一方、前記ベース部材１１の上面開口部１１ｃに挿入されるトップ部材１２は、中空矩形の角筒状に形成した挟持部１４とこの挟持部１４に上下方向移動可能に配設される押圧部１３とから構成されている。前記挟持部１４の底面１４ｂは前記ベース部材１１の係止部１１ｂの傾斜面１１ａと同様の傾斜面１４ａが形成されていると共に、前後方向の内壁面１４ｃには、互いに対峙させて所定の間隔で上，下に一対の凹部１４ｄ，１４ｅが形成されている。
前記押圧部１３は、前記挟持部１４の開口部１４ｆより挿入されて、前記眼内挿入用レンズ２０を未使用の保持状態から使用設置状態に移動させるためのものである。そして、上部には大径の頭部１３ａと、この頭部１３ａに連続する角柱状の脚部１３ｂとから構成されると共に、脚部１３ｂの下端近傍外面には突子１３ｃが形成され、前記挟持部１４の凹部１４ｄ，１４ｅのいずれか一方に係合するようになっている。すなはち、未使用の保持状態では、凹部１４ｄと、使用設置状態では押圧によって移動し凹部１４ｅと係合する。また脚部１３ｂの底面には凹面１３ｄが形成され、該凹面１３ｄには眼内挿入用レンズ２０の外周部を保持する突起１３ｆが形成されたものである。
【００１３】
以上のように構成された本発明の実施の形態によれば、図３の（ａ）に示す第１の未使用の保持状態より図３の（ｂ）に示す第２の使用設置状態にするには、レンズ保持部材１０のベース部材１１とトップ部材１２によって、その外周の一部が挟み込まれたレンズ２０をトップ部材１２の押圧部１３の大径の頭部１３ａを下方に押圧移動させることにより装着部３５の凹状に湾曲した溝状のレンズ移動部３９方向へ眼内挿入用レンズ２０を移動させ、眼内挿入用レンズ２０の外周部を前記湾曲凹部３９ａの開口突縁３９ｂの裏面に係止させる。このレンズ移動機構の操作によりレンズ２０の中心と不図示の押出し軸３３の軸方向中心とがほぼ一致する状態となり、押出し軸３３を左方向へ移動させることでレンズ移動部３９内の空間１５を紙面垂直方向に移動して装着部３５に一体に設けた挿入筒３２の内腔を通過した後、眼内に押し出される。
なお、前記押圧部１３は、突子１３ｃが押圧によって移動して凹部１４ｅと係合することでレンズ移動部３９へ移動させた眼内挿入用レンズ２０の復元を防止し位置決めが確実にできる。
【００１４】
また、レンズ移動部３９へレンズ２０が移動した状態を確認することができるようにレンズ保持部材１０に使用する成型材料は、透明または半透明であることが望ましい。
また、本図によりトップ部材１２の下方の面と、装着部３５に形成したレンズ移動部３９との間に、眼内挿入用レンズ２０が移動する空間１５を形成していることも確認できる。すなわちトップ部材１２の押圧部１３はレンズ２０を下方に移動させる機能と装着部３５との組合せによりレンズ移動空間１５を形成するという2通りの機能を果すこととなる。
【００１５】
以上のように、この発明の実施の形態におけるベース部材１１，挟持部１４及び押圧部１３を備えたトップ部材１２で構成されるレンズ保持部材１０は、挿入器具３０に組み込んで挿入器具３０の機構の一部として機能するものである。
なお、前述の実施形態では、挿入器具３０の筒本体３１とレンズ保持部材１０とを分離可能な別体構成のものを組付けて挿入器具３０を構成するようにしたが、前記ベース部材１１は筒本体３１の装着部３５と一体成型することも可能であると共に、トップ部材１２についてもベース部材１１の上面端部にヒンジを介して一体に成型することも勿論可能である。
また、本図は眼内挿入用レンズ２０を小さく変形させる変形手段の一部をレンズ保持部材１０と一体に構成したことを特徴とすることも説明することができる。
【００１６】
レンズ移動部３９が湾曲の溝状としていることと、トップ部材１２でレンズ２０をレンズ移動部３９へ押し付けながら移動させること、及びレンズ移動部３９の寸法Ｊとレンズ５０の寸法Ｋにより、Ｊ寸法よりＫ寸法が長いことの３点から、レンズ２０が装着部３５のレンズ移動部３９へ移動した際に、変形手段の一部をレンズ保持部材１０と一体に構成したことを確認できる。
【００１７】
図４は、本発明の実施の形態の挿入器具３０の挿入筒３２部分の変形例を示す平面図である。
この変形例では、挿入筒３２と挿入器具３０の装着部３５を一体に形成したもので挿入筒３２の基端部３２ｂ側に変形手段である眼内挿入用レンズの変形用の溝状の湾曲凹部３９ａを形成したもので、前記湾曲凹部３９ａで僅かに小さく変形した眼内挿入用レンズ２０を挿入筒３２の内腔に形成した先細のテーパ３２ｃでさらに小さく変形させるようにしたものである。
また、前記空間１５は眼内挿入用レンズ２０がその空間１５内で大きく移動しない程度の形状、大きさで構成される。さらに、前記空間1５は眼内挿入用レンズ２０の光学部２１がベース部材１１及びトップ部材１２の裏面に接触しないような形状に構成され長期間眼内挿入用レンズ２０を保管する際に光学部２１に力がかかりその光学特性を変化させることを防止するようにしている。
【００１８】
特に、眼内挿入用レンズの挿入システムが使用される環境では無菌の環境が必要とされるため、実際の使用時に操作者は手袋等をはめた状態で作業をする必要があり、細かいものへの操作性が低下するため、レンズ保持部材１０より大きく持ちやすい挿入器具３０をもって、レンズ保持部材１０の押圧部１３を上方から下方に押し付ける動作により第１の未使用の保持状態より第２の使用設置状態に眼内挿入用レンズ２０を移動させて挿入器具３０から眼内挿入用レンズ２０を眼内に挿入できることは、より好ましい操作形態といえる。
【００１９】
また、前述の実施の形態では、レンズ保持部材１０と挿入筒３２の双方で眼内挿入用レンズ２０を変形させる変形手段を示したが、特にこれに限定することなく、レンズ保持部材１０のみで眼内挿入用レンズ２０を眼内に挿入する小さな形状に変形させた上で、挿入筒３２の内腔を通過させて眼内に挿入する構成としたり、レンズ保持部材１０には前記変形手段を形成することなく、変形手段を挿入筒３２に持たせる構成とするなど、容易に変更出来ることは勿論である。
【００２０】
また、前記使用した眼内挿入用レンズ２０の中心とは、眼内挿入用レンズ２０を水平にした状態で、光学部２１の垂直中心を通る前後方向且つ厚さ方向の中心を指すものである。
【００２１】
【発明の効果】
以上説明したように、請求項１の発明は、変形可能な光学部と所定の角度を有するループ状の支持部を持つ眼内挿入用レンズからなるレンズと、光学部に応力をかけない状態でレンズを内部に保持する機構を有する保持手段と、前記レンズを小さく変形する変形手段と、変形されたレンズを内腔を通して眼内に挿入する挿入筒および前記レンズを眼内に押出す押出し機構を有する眼内挿入用レンズの挿入器具とで構成される眼内挿入用レンズの挿入システムであって、前記レンズ光学部に応力をかけないで保持する第１の保持状態から前記押出機構により前記レンズを押出可能な第２の使用設置状態に遷移させる手段を有する構成としたので、遷移させる手段によりレンズ保持位置から挿入準備の設置位置に移動するだけで眼内挿入用レンズの設置操作が完了し、別個のレンズケースから一々眼内挿入用レンズを取り出してあらためて挿入器具に設置するという設置操作を不要にすることが可能となるばかりでなく、設置操作に関わる誤操作を未然に防ぎ安全性を向上させることを可能にする。
また、本発明によれば、レンズ保管のための未使用の保持状態において眼内挿入用レンズを望ましい状態で保持する機構を設けたので、レンズ保管中の変形等を防ぐことが可能になる。さらに本発明ではレンズを挿入器具内に保持した状態で梱包、滅菌することでより完璧な眼内挿入用レンズの挿入システムを提供することが可能になる。
請求項２の発明は、請求項１に記載した眼内挿入用レンズの挿入システムにおいて、前記遷移させる手段は、前記レンズ光学部に応力をかけないで保持する第１の保持状態から前記押出機構により前記レンズを押出可能な第２の使用設置状態に移動させるレンズ移動機構を有する構成としたので、レンズ保持位置から挿入準備の設置位置に移動するだけで眼内挿入用レンズの設置操作が容易に完了する。
請求項３の発明は、請求項２に記載した眼内挿入用レンズの挿入システムにおいて、変形手段の一部を前記レンズ移動機構に設けた構成したので、より少ない構成部材により請求項１の機能を実現することが可能になる。
請求項４の発明は、請求項１に記載した眼内挿入用レンズの挿入システムにおいて、前記眼内挿入用レンズは変形可能な光学部と所定の角度を有するループ状の支持部を持つ眼内挿入用レンズであって、前記レンズの未使用の保持状態では、前記支持部を光学部に対して所定の角度で保持するため前後方向に対峙して左右方向に伸び、前記所定角度の傾斜面を持ったベース部材の係止部材に前記レンズの外周部を係止するようにして保持する支持部保持機構を備えた構成としたので、挿入器具における眼内挿入用レンズの保管中にレンズの変形することを防止し、レンズ本来の性能を保つことが簡単な構成で達成できる効果がある。
【図面の簡単な説明】
【図１】  本発明に係る眼内挿入用レンズの挿入システムの一実施の形態を示す図であり、(ａ)はレンズ保持部材を挿入器具に装着して前記第１の未使用の保持状態を示す正面図、(ｂ)は第２の使用設置状態を示した正面図である。
【図２】  図１の(ａ)の部分拡大図で、(ａ)は挿入器具にレンズ保持部材が装着された状態を示す部分拡大正面図、(ｂ)はレンズ保持部材の平面図である。
【図３】  図１の（ａ),（ｂ）実施の形態の要部の断面を示すもので、（ａ)は 図１(ａ)における１−１線に沿う拡大断面図、（ｂ)は 図１(ｂ)における２−２線に沿う拡大断面図である。
【図４】  本発明の実施例の挿入器具の挿入筒部分の変形例を示す平面図である。
【符号の説明】
１０      レンズ保持部材（保持手段）
１１      ベース部材
１２      トップ部材
１３      押圧部
１３ａ    大径の頭部
１３ｂ    脚部
１３ｃ    突子
１４      挟持部
１４ａ    傾斜面
１４ｂ    底面
１４ｃ    内壁面
１４ｄ，１４ｅ    凹部
１４ｆ    開口部
１５      空間
２０      眼内挿入用レンズ
２１      光学部
２２      支持部
３０      挿入器具
３１      筒本体
３１ａ    基端部
３１ｂ    先端部
３２      挿入筒
３２ａ    挿入筒部の先端部
３３      押出し軸
３４      押出し機構
３５      装着部
３９      装着部のレンズ移動部
３９ａ    湾曲面
３９ｂ    突縁
【図１】
0003944555.tif 000002
【図２】
0003944555.tif 000003
【図３】
0003944555.tif 000004
【図４】
0003944555.tif 000005